(57)【特許請求の範囲】
【請求項１】
下面（５ｕ）が棟木（６）及び軒桁（６１）の上面と面当接する形態に傾斜配置した棟木（６）用ころび止め材（５）と軒桁（６１）用ころび止め材（５）、を含む横枠材（４，５）で連結一体化した、少なくとも２本の平行した屋根垂木（１）間の、軒桁用のころび止め材（５）と中間の横枠材（４）間にのみ断熱材（３）を配置し、少なくとも上面シート（２１）及び下面シート（２３）を含む、空気層空間（Ｓ）を備えた上下複数のシート（２１，２２，２３）から成り、シート表面側での輻射熱反射作用、及びシート間の空気層空間（Ｓ）による空気流通作用を奏する遮熱材（２）で断熱材（３）の上面を被覆保護した屋根パネル（Ａ）を、小屋組み上に、屋根垂木（１）、及び棟木用、軒桁用両ころび止め材（５）を介して張設し、屋根下張材（７）、及び／又は、屋根材（８）を屋根パネル（Ａ）上に張設することにより、遮熱材（２）が外気を導通すると共に、屋根面からの熱線による断熱材（３）への加熱を阻止して断熱材への蓄熱を軽減するようにした、住宅の屋根断熱構造。
【請求項２】
断熱材（３）上に遮熱材（２）を載置被覆した請求項１の住宅の屋根断熱構造。
【請求項３】
屋根パネル（Ａ）は、断熱材（３）の下面の少なくとも居住空間域（Ｒｓ）には内装下地材等の下面材（７１）を備えている請求項１又は２の住宅の屋根断熱構造。
【請求項４】
屋根下張材（７）を遮熱材（２）上面に空隙層（Ｓｏ）を保って屋根垂木（１）に張設した、請求項１乃至３のいずれか１項の住宅の屋根断熱構造。
【請求項５】
少なくとも２本の平行した屋根垂木（１）を、下面（５ｕ）が棟木（６）及び軒桁（６１）の上面と面当接する形態に傾斜配置した棟木（６）用ころび止め材（５）と、軒桁（６１）用ころび止め材（５）、とを含む横枠材（４，５）で連結して枠体（Ｆ）とし、枠体（Ｆ）内の屋根垂木（１）間の、軒桁用のころび止め材（５）と中間の横枠材（４）間にのみ断熱材（３）を配設し、少なくとも上面シート（２１）及び下面シート（２３）を含む、空気層空間（Ｓ）を備えた上下複数のシート（２１，２２，２３）から成り、且つシート表面側での輻射熱反射作用、及びシート間の空気層空間（Ｓ）による空気流通作用を奏する遮熱材（２）を断熱材（３）上に被覆保護した垂木一体化屋根パネル。
【請求項６】
遮熱材（２）は、少なくとも上面シート（２１）及び次層シート（２２，２３）が表面に熱反射層を備えた複数シート（２１，２２，２３）を折曲自在の起立片（２４，２５）群によって固定し、各シート（２１，２２，２３）間に長手方向に貫通した空気層空間（Ｓ）を形成した請求項５の垂木一体化屋根パネル。
【請求項７】
遮熱材（２）は、複数シート（２１，２２，２３）及び起立片（２４，２５）群が紙材から成り、且つ上面シート（２１）及び次層シート（２２，２３）が表面に熱反射アルミ箔層を備えた請求項５、又は６の垂木一体化屋根パネル。
【請求項８】
遮熱材（２）は、上面シート（２１）、中間シート（２２）及び下面シート（２３）が表面に熱反射アルミ箔層を備え、折曲部（ｒ）で折曲自在とした起立片（２４，２５）群の両端の折曲面（２４´，２５´）を上面シート（２１）及び下面シート（２３）に固定すると共に、折曲部（ｒ）で折曲自在とした中間シート（２２）の両端の折曲面（２２´）を起立片（２４，２５）群に固定し、各シート（２１，２２，２３）間に長手方向に貫通した空気層空間（Ｓ）を開口した請求項５、又は６、又は７の垂木一体化屋根パネル。
【請求項９】
グラスウール等の繊維系断熱材（３）を用い、少なくとも居住空間域（Ｒｓ）では断熱材下面に内装下地材（７１）を付設し、内装下地材（７１）から食み出た断熱材下面を合板、金網等の支承材（７２）で保持した、請求項５乃至８のいずれか１項の垂木一体化屋根パネル。
【請求項１０】
遮熱材（２）を屋根垂木（１）間に配設した断熱材（３）上に載置し、上面シート（２１）の側縁（２１Ｅ）を屋根垂木（１）に止着した請求項５乃至９のいずれか１項の垂木一体化屋根パネル。
【請求項１１】
屋根垂木（１）の上面（１Ｔ）に屋根下張材（７）を張設一体化した、請求項５乃至１０のいずれか１項の垂木一体化屋根パネル。
【発明の詳細な説明】
【０００１】
【発明の属する技術分野】
本発明は、住宅の屋根を、通気性及び断熱性に優れた新規な屋根パネルを用いて構築し、施工容易、且つ省エネルギー化された住宅を提供せんとするものであり、住宅建築の分野に属するものである。
【０００２】
【従来の技術】
住宅建築に於いて、屋根構造に通気性及び断熱性を付与することは、住環境面、屋根耐久性面から重要な課題であり、従来より屋根垂木上面に断熱材を外張りする手法や、屋根垂木間に断熱材を充填する手法が実施されている。
外張り断熱にあっては、垂木自体も断熱する点では有利であるが、断熱材を屋根垂木上に固定するため、断熱材の厚さが制約を受ける問題があり、充填断熱にあっては、垂木の高さの変更により断熱層が自由に選択出来、且つ外張りに比べて、屋根下張り材の施工までの工程が少なく合理的に施工出来る。
【０００３】
〔従来例１〕
図９は、従来の充填断熱の典型例であり、小屋組みの棟木、軒桁、母屋等に垂木を釘打ち固定し、棟木、軒桁等には垂木の座屈防止用のころび止め材を介在釘打ちして垂木を強固に堅結しておき、図９（Ａ）の如く、合板等の屋根下張材を小屋組みの垂木上に釘留めし、垂木上端側面には通気下地材を釘留めし、図９（Ｂ）の如く、通気下地材に透湿防水シートや合板等の防風層を釘で留めて屋根下張材と防風層との間隙で通気層を形成し、次いで図９（Ｃ）の如く、垂木間寸法どおりに切断した断熱材板等を垂木間の内側から嵌め込んだ後、ずり落ちないように釘で固定し、更に断熱材の下側から塩ビフィルム等の防湿層をタッカー釘で垂木に留めている。
【０００４】
〔従来例２〕
図１０は、薄型で断熱性及び撓み剛性に優れた通気屋根パネルとして提案されたもの（特開平８−２９１６００号公報）であり、両側及び中央部の垂木と適宜間隔に配した横材としての継ぎ桟とで格子枠を形成し、継ぎ桟の上面の一部に通風口を切欠しておき、垂木上面に張設固定した野地板の下面に通気隙間を形成するように断熱材を充填し、断熱材と野地板間にプラスチックをエンボス加工した断熱シートを配置して、グラスウールの如き外気が容易に拭き抜ける断熱材の使用も可能とし、断熱シートの凸部で断熱材と野地板のバックアップ機能を奏し、断熱材の移動を抑制すると共に、凸部間隔及び継ぎ桟の通風口によって外気の導通を可能としたものである。
【０００５】
【発明が解決しようとする課題】
従来例１のものにあっては、有効な通気層が形成出来、垂木高さの選定によって所望厚の断熱材が付与出来るが、垂木の棟木、軒桁、母屋等の横梁への取付け、及びころび止め材の取付けを含め、屋根施工は高所作業であって施工に手間がかかり、しかも、断熱材は屋根からの加熱によって蓄熱体となり、夜間に外気温が下がっても依然として住居内部へ一定の熱を伝導放散することとなる。
また、従来例２の屋根パネルにあっては、格子枠を形成する継ぎ桟が内装仕上材省略の重要な要素であり、断熱シートとして耐久性及び断熱性に優れた合成樹脂材を選定して断熱材を保護してはいるが、該断熱シートには熱線反射機能は無く、且つ枠材との通風口及び格子枠形成が複雑な構成となっている。
従って、異種形状の断熱材の重層構造であるため、断熱シートも加熱されて断熱シートからの伝導熱も断熱材に付加され、従来例１同様に断熱材は蓄熱体機能を奏する。しかも、小屋組みへの取付けに際しても、屋根パネルの構造上、横梁への固定が煩雑、且つ手間のかかる作業であった。
【０００６】
本発明は、これら従来例１，２では全く着目されていない、屋根外部からの断熱材層への輻射熱による加熱作用を遮熱材で阻止し、断熱材への蓄熱を阻止軽減するという、全く新規、且つ異質の断熱構造を提供し、併せて簡単な構造の屋根パネルの採用によって、小屋組みへの堅結固定も容易とし、施工上も機能上も格段に優れた、実用性に富んだ屋根断熱工法を提供するものである。
【０００７】
【課題を解決するための手段及び作用】
本発明は、例えば、図１，図２に示す如く、下面５ｕが棟木６及び軒桁６１の上面と面当接する形態に傾斜配置した棟木６用ころび止め材５と軒桁６１用ころび止め材５、を含む横枠材４，５で連結一体化した、少なくとも２本の平行した屋根垂木１間の、軒桁用のころび止め材５と中間の横枠材４間にのみ断熱材３を配置し、少なくとも上面シート２１及び下面シート２３を含む、空気層空間Ｓを備えた上下複数のシート２１，２２，２３から成り、シート表面側での輻射熱反射作用、及びシート間の空気層空間Ｓによる空気流通作用を奏する遮熱材２で断熱材３の上面を被覆保護した屋根パネルＡを、例えば、図７，図８の如く、小屋組み上に、屋根垂木１、及び棟木用、軒桁用両ころび止め材５を介して張設し、屋根下張材７、及び／又は、屋根材８を屋根パネルＡ上に張設することにより、遮熱材２が外気を導通すると共に、屋根面からの熱線による断熱材３への加熱を阻止して断熱材への蓄熱を軽減するようにした、住宅の屋根断熱構造に関するものである（請求項１）。
【０００８】
尚、「横枠材」は各縦方向の垂木１相互間を横方向に強固に連結するものであって、軒桁用及び棟木用のころび止め材５や、断熱材の端部規定横枠材４、或いは断熱材中の横枠材等、必要位置に配置する横方向の枠材を総称するものであり、屋根パネルＡの施工上からは、少なくとも軒桁上面に下面５ｕが面当接するころび止め材５と、棟木上面に下面５ｕが面当接するころび止め材５とが必須である。
ころび止め材５は、屋根垂木１が屋根面の荷重によって座屈するのを阻止するための建材であるため、下面は当然、軒桁又は棟木上に面当接するものであり、図１，図７に示す如く、屋根垂木１に対しては、屋根パネルＡを屋根勾配θ（図４）のとおり小屋組みに配置した際に、ころび止め材５は垂直形態となるように屋根垂木１に固定する。勿論、軒桁や棟木の上面にテーパーを付した場合は、ころび止め材５の下面は取付対象物である棟木や軒桁のテーパー面に面当接する形状とする。
そして、ころび止め材５の下面５Ｕは図４に示す如く、屋根垂木下面１Ｕから突出するため、断熱材を充填発泡させるための型締めには、下面５Ｕの突出を吸収補償するための特別の補助型枠を採用する必要があり、従って、断熱材３としては、成形発泡板材を切断して用いるか、グラスウール等の繊維系断熱材を採用するのがころび止め材５の下面の形状に関係なく垂木間に嵌入充填出来、有利である。
【０００９】
また、「少なくとも上面シート２１及び下面シート２３を含む上下複数のシート２１，２２，２３」の意は、上面シートと下面シートのみから成り空気層空間Ｓが１層のみのものも、上下シート間に１層又は複層の中間シート２２を配置した空気層空間Ｓが多層のものをも含む意である。
また、「シート表面側での輻射熱反射作用」の意は、各複数シートのうちの上面シートのみ、上面シートと次層シート（中間シート）、次層シート（中間シート）と下面シート等、遮熱材全体として構成シート表面が輻射熱反射作用を奏する意味である。
そして、これらシートの表面にアルミ箔又はアルミ蒸着膜を付設すれば、シート表面が輻射熱反射作用を奏するようになる。
しかし、屋根下張材７が上面シート２１と面接触すれば、上面シート２１の輻射熱反射機能は低減するため、屋根下張材が上面シート２１と面接触の危険のある場合は、上面シート２１と次層シート２２、或いは次層シート２２と下面シート２３とに熱反射機能を付与しておくのが有利である。
【００１０】
また、「遮熱材２で断熱材３上面を被覆保護」の意味は、遮熱材２の下面を断熱材上面に接着するものも、充填発泡断熱材の発泡凝固接着力で遮熱材下面を断熱材と一体化接着するものも、遮熱材２を単に断熱材３上の垂木間に嵌入載置するものも、遮熱材２を断熱材上に載置して遮熱材の上面シート２１を垂木１に止着するものも、或いは、予め遮熱材下面を断熱材上面に固定した後、断熱材３を屋根垂木１間に嵌入固定するものをも含む意味である。
【００１１】
従って、本発明の屋根断熱構造にあっては、屋根パネルの遮熱材が軒先側から棟側へ外気を導通するため、空気流通による結露防止及び熱放出が好適に遂行出来るのは勿論、屋根面側からの負荷熱線を遮熱材２が反射して断熱材３への熱線加熱が好適に阻止出来、断熱材３の蓄熱が軽減出来るため、遮熱材付き断熱材は、小さな蓄熱量の下に大きな断熱効果を奏することが出来、夜間等の外気温低下に比較的短時間で順応出来、冷房エネルギー等の節約が達成出来、住宅の省エネルギー化に有利である。
しかも、垂木及びころび止め材一体化の屋根パネルＡは、その優れた通気性、蓄熱を抑制した断熱性を具備し、且つ、棟木６及び軒桁６１上面に、下面５ｕが面当接する形態に傾斜配置した棟木６用ころび止め材５、及び軒桁用ころび止め材５の存在によって、小屋組みへの張設固定作業が極めて合理化出来る。
そして、断熱材３は、軒桁用ころび止め材５と中間の横枠材４とで両端が規定されるため、充填面及び保持面で有利であり、屋根パネル全体は工場での均質製品としての合理的生産が可能となり、高機能断熱屋根を備えた高品質住宅の低コスト提供が可能となる。
【００１２】
また、屋根パネルＡにあっては、断熱材３上に遮熱材２を載置被覆するのが好ましい（請求項２）。
この場合は、断熱材３を屋根垂木間に一体化したパネル本体に対して施工現場で遮熱材２を断熱材３上の垂木１間に嵌め込んで上端を垂木側面に接着テープ等で止着するだけで良く、従って、遮熱材２は屋根施工時まで屋根パネル部材として保管出来るため、遮熱材２のシート表面の金属箔等の熱反射層の損傷、汚染が最小限に抑制出来ると共に、遮熱材２と垂木一体化断熱材パネルとが別々に製作、保管出来て、屋根パネルＡ全体の保管、搬送上も有利である。
【００１３】
また、屋根パネルＡは、断熱材３の下面の少なくとも居住空間域には内装下地材等の下面材７１を備えているのが好ましい（請求項３）。
屋根パネルＡは、軒桁や棟木用のころび止め材５を横材として有しているため、断熱材として合成樹脂発泡成形板やグラスウール断熱板を切断して垂木間に嵌入固定するのがコスト上有利であり、断熱材３の下面を面板等で支承するのが断熱材３の屋根パネルＡからの脱落防止に有利であるが、屋根パネルＡの居住空間域Ｒｓに露出する範囲に内装下地材７１を取付けておけば、後工程としての屋根パネルＡの下面への内装下地材付設作業が省略出来ると共に、断熱材３の屋根パネルＡからの脱落も防止出来る。
この場合、断熱材３の下面全域に内装下地材７１を取付けても良いが、居住空間域Ｒｓ以外の部分は簀の子や金網等で支承するのが低コストで合理的である。
【００１４】
また、屋根断熱構造は、屋根下張材７を遮熱材２上面に空隙層Ｓｏを保った構造が好ましい（請求項４）。
この場合、遮熱材上面での空隙層Ｓｏの形成は、屋根パネルＡの製作時に屋根垂木上面１Ｔを遮熱材２の上面より高くしておけば簡便に形成出来、屋根パネルＡが屋根垂木上面１Ｔと遮熱材上面シート２１との面一なものにあっては、屋根垂木１の上面１Ｔに木片継ぎ材を介在して屋根下張材７を張設すれば良い。
【００１５】
そして、屋根下張材７と遮熱材上面シート２１間に図２（Ｂ）の如く空隙層Ｓｏが存在すれば、遮熱材２の上面シート２１表面の輻射熱反射機能は完全に発揮出来るため、遮熱材２は、上面シート２１のみに熱反射機能を付与したものでも採用可能となり、共にアルミ箔等の熱反射層を備えた上面シート２１と下面シート２３の２層形態とすれば、上面シート２１を透過したわずかな熱線も下面シートで反射補償出来て完全な熱反射作用及び空気流通作用が付与出来、従って、両シート２１，２３間の空気層空間Ｓを適正に選択して２層形態とすることにより、低コストの遮熱材２の採用が可能となる。
【００１６】
本願の垂木一体化屋根パネルの発明は、少なくとも２本の平行した屋根垂木１を、下面５ｕが棟木６及び軒桁６１の上面と面当接する形態に傾斜配置した棟木６用ころび止め材５と、軒桁６１用ころび止め材５、とを含む横枠材４，５で連結して枠体Ｆとし、枠体Ｆ内の屋根垂木１間の、軒桁用のころび止め材５と中間の横枠材４間にのみ断熱材３を配設し、少なくとも上面シート２１及び下面シート２３を含む、空気層空間Ｓを備えた上下複数のシート２１，２２，２３から成り、且つシート表面側での輻射熱反射作用、及びシート間の空気層空間Ｓによる空気流通作用を奏する遮熱材２を断熱材３上に被覆保護したものである（請求項５）。
【００１７】
尚、「少なくとも２本の平行した屋根垂木１」の意は、屋根パネル枠体Ｆが両側縁には屋根垂木１を備えている意であり、実施例の如く屋根垂木１を３本有するものも、或いは中間に複数本備えたものをも含む意である。
屋根パネルＡ内の垂木の本数を多くすれば広幅の屋根パネルとなり、屋根施工の合理化には有利であるが、取扱い及び搬送上からは不利となるため、屋根パネルＡの垂木本数は適宜に選択決定すれば良い。
また、「棟木６用ころび止め材５と、軒桁用のころび止め材５とを含む横枠材４，５」の意は、各屋根垂木１相互を横方向に連結して枠体Ｆを形成するに際し、屋根パネルＡの棟木側では棟木６上に位置するころび止め材５を、屋根パネルＡの軒先側では、軒桁６１上に位置するころび止め材５を必須とし、他の横枠材として、断熱材端を規定する中間の横枠材４、更には中間部に母屋用のころび止め材（図示せず）を含むもの等を広く包含する意味である。
【００１８】
従って、断熱材３の配設は、軒桁用ころび止め材５と中間の横枠材４間に配置するが、断熱材内の中間部に横枠材４を含んでも良い。
そして、断熱材３は、屋根垂木１側面と密接形態に配置することが断熱機能発揮上必要であり、軒桁用ころび止め材５と中間の横枠材４とで両端を規定するため、保持面からも充填面からも有利である。
また、棟木６及び軒桁６１上面に、下面５ｕが面当接する形態に傾斜配置した各棟木用ころび止め材５及び軒桁用ころび止め材５は、本発明の必須要件であり、垂木１と共に屋根パネルＡに一体化付設しているため、屋根パネル取付後のころび止め材打ち付け作業が省略、合理化出来る。
【００１９】
また、「屋根垂木１間の、軒桁用のころび止め材５と中間の横枠材４間にのみ断熱材３を配設し」の意は、断熱材３の両側面を垂木側面に接着すること、断熱材３の充填注入発泡による凝固接着力で垂木側面、ころび止め材５側面及び横枠材４側面と一体化接着すること、或いは屋根垂木１の下面に付設した面材等の支承材によって断熱材３を保持すること等、屋根パネルＡの施工時及び耐用期間中に、断熱材３が脱落しないように屋根垂木間の軒桁用ころび止め材と中間横枠材４間に保持される状態に配置されることを広く意味するものである。
また、「少なくとも上面シート２１及び下面シート２３を含む上下複数のシート２１，２２，２３」の意は、遮熱材２が、上面シート２１と下面シート２３のみの２層形態であってシート間の空気層空間Ｓが１層となるものも、１枚の中間シートを備えた３層形態であってシート間の空気層空間Ｓが２層となるもの、及び複数枚の中間シート２２を備えたものをも広く包含する意味である。
【００２０】
また、「シート表面側での輻射熱反射作用」の意は、各構成シートの何れで輻射熱反射作用を奏しても良く、遮熱材２が全体として屋根外面から屋根内面の断熱材への輻射熱伝達を阻止すれば良いものであり、上面シート２１の表面でのみの輻射熱反射作用も、上面シート２１と次層シート２２（２３）の表面での輻射熱反射作用も、或いは上面シート２１は単なる空気層空間Ｓ形成機能のみとし、次層（中間）シート２２及び下面シート２３表面での輻射熱反射作用をも広く包含する意味である。尚、上面シート２１の表面のみが輻射熱反射作用を奏する場合には、屋根下張材７は上面シート２１との間に空気層空隙Ｓｏを形成する形態に張設するのが、熱線反射機能の完全発揮上好ましい。
【００２１】
また、「遮熱材２を断熱材３上に被覆保護」の意は、断熱材３の上面全面を遮熱材２が常時保護することを意味し、この場合、遮熱材２の下面シート２３を枠体Ｆに固定した断熱材３上に接着固定しても良く、遮熱材２を断熱材３上に載置して遮熱材上面シート２１の側縁２１Ｅを屋根垂木１に釘や粘着テープ等で止着しても良く、或いは、枠体を周枠とし、ころび止め材５下面５Ｕの垂木下面１Ｕへの突出形状を補償する補助型板を底面に用いて枠体Ｆ内を成形型締めして断熱材３の充填発泡による凝固接着力で断熱材３、遮熱材２及び屋根垂木１相互を一体化接着しても良い。
【００２２】
従って、本発明の屋根パネルを採用すれば、小屋組み上への屋根パネルＡの施工は、軒桁用ころび止め材５も、棟木用ころび止め材５も、その下面５ｕが、棟木６及び軒桁６１の上面と、面当接するように傾斜配置しているため、図７に示す如く、軒桁用のころび止め材５及び棟木用のころび止め材５の下面５ｕを軒桁や棟木上に垂直状態で当接して釘打ち固定すると共に、各屋根垂木１を棟木、軒桁、母屋等の小屋組み上の横梁に釘打ち固定するだけで完了し、従来の手間のかかる困難な作業であった後工程としてのころび止め材の取付施工が省略出来、小屋組み上への強固な屋根施工が容易に実施出来、張設屋根パネルＡ上に慣用の屋根下張材７及び屋根材を張設するだけで屋根施工が完了する。
しかも、得られる屋根は、遮熱材２の空気層空間Ｓを外気が導通して、屋根内の結露防止及び断熱材上面の過度の高温化を阻止すると共に、遮熱材２の輻射熱反射作用による断熱材への熱線加熱を阻止するため、断熱材の従来の如き過度の蓄熱は軽減出来て、夜間の外気温の低下時での蓄熱体としての断熱材からの放熱も軽減出来、高断熱、低蓄熱の優れた住環境を提供することが出来る。
【００２３】
また、垂木一体化屋根パネルにあって、遮熱材２は、少なくとも上面シート２１及び次層シート２２，２３が表面に熱反射層を備えた複数シート２１，２２，２３を折曲自在の起立片２４，２５群によって固定し、各シート２１，２２，２３間に長手方向に貫通した空気層空間Ｓを形成するのが好ましい（請求項６）。
尚、「次層シート２２，２３」の意は、上面シート２１直下のシートの意であり、遮熱材２が、上面シート２１と下面シート２３の２層形態の場合は、下面シート２３が次層シートであり、上面シート２１、中間シート２２及び下面シート２３の３層形態の場合は中間シート２２が次層シートである。
また、熱反射層は、アルミ箔の如き熱反射金属箔をシート表面に貼着したものが好適であるが、シート表面に金属蒸着膜を形成しても良い。
【００２４】
この遮熱材２にあっては、上面シート２１が損傷、汚染又は屋根下張材７との当接等によって熱反射機能低下を招来しても、上面シート２１を透過した熱線を次層シートが完全に反射するため、遮熱材上面シート２１の表面の取扱いに過度の注意を払う必要もなく、従って屋根パネルＡの取扱い、及び施工が容易となる。
また、遮熱材２の複数シート相互を折曲自在の起立片群２４，２５によって固定しているため、屋根パネルＡ用の部材として予め製作した遮熱材２は圧接積層形態で保管、搬送出来るため取扱い容易である。
この場合、起立片群２４，２５を実施例の如く各シート２１，２２，２３と同長のシートで形成すれば、各起立片２４，２５が全長に亘る空気の流動案内壁となって平滑な空気流通を促進する。
【００２５】
また、遮熱材２は、複数シート２１，２２，２３及び起立片２４，２５群が紙材から成り、且つ上面シート２１及び次層シート２２，２３が表面に熱反射アルミ箔層を備えているのが好ましい（請求項７）。
紙材は糊剤接着性が良いので、各シートと起立片との接着一体化、及びアルミ箔と各シートとの接着一体化も容易となり、遮熱材２の製作が容易である。
しかも、アルミニウム箔は、典型的には６×１０−３〜６×１０−２mm厚の市販品であっても、微視的に平坦面を備えてピンホールが存在しないため、熱線を正反射阻止出来、高性能遮熱材が得られる。
従って、接着性の良い紙シートとアルミ箔との簡単な面接着により、高性能遮熱材が比較的低コストで得られる。
【００２６】
また、遮熱材２は、上面シート２１、中間シート２２及び下面シート２３が表面に熱反射アルミ箔層を備え、折曲部ｒで折曲自在とした起立片２４，２５群の両端の折曲面２４´，２５´を上面シート２１及び下面シート２３に固定すると共に、折曲部ｒで折曲自在とした中間シート２２の両端の折曲面２２´を起立片２４，２５群に固定し、各シート２１，２２，２３間に長手方向に貫通した空気層空間Ｓを開口したものが好ましい（請求項８）。
【００２７】
この場合、各シート表面にアルミ箔を貼着した後、図５に示す如く、各シート２１，２２，２３及び起立片２４，２５を水平載置して起立片２４，２５の折曲面２４´，２５´及び中間シート２２の折曲面２２´に折り目を付けた後、各折曲面に糊剤を塗布して、各構成部材を圧着すれば遮熱材２が積層形態で形成出来るため、アルミ箔の各シートへのローラー装置貼着をはじめ、各シート２１，２２，２３と起立片２４，２５との相互固定も、全てシート状態でローラー群装置に供給しながら、折り目付与→折り込み→糊付け→圧着→定寸切断の流れ工程で合理的に製造出来る。
従って、遮熱材２を予め製造して積層形態で保管しておき、屋根パネル製作時に、上面シート２１を引張って起立片２４，２５を立設形態とし、屋根垂木１及び断熱材３から成るパネル本体の断熱材３上面に被覆保護すれば屋根パネルＡとなるため、屋根パネルＡの製作、保管が合理的、且つ容易となる。
【００２８】
また、垂木一体化屋根パネルＡにあっては、グラスウール等の繊維系断熱材３を用い、少なくとも居住空間域Ｒｓでは断熱材下面に内装下地材７１を付設し、内装下地材７１から食み出た断熱材下面を合板、金網等の支承材７２で保持するのが好ましい（請求項９）。
この場合、屋根パネルＡの居住空間域に露出する下面には内装下地材７１が存在するため、内装工事用の下地材の取付工事が省略出来ると共に、例えば妻部分等の見えない部分には低コストの金網、簀の子等の支承材７２を用いるため屋根パネルＡのコスト低減も可能となる。勿論、製作作業上の観点から同一の内装下地材７１を断熱材３の下面全体に付設しても良い。
また、繊維系断熱材３は比較的に寸法順応性があるため、屋根垂木１に対して傾斜形態のころび止め材５で規定された枠体内空間Ｖへの充填もスムーズに出来る。
【００２９】
また、垂木一体化屋根パネルＡにあっては、遮熱材２を屋根垂木１間に配設した断熱材３上に載置し、上面シート２１の側縁２１Ｅを屋根垂木１に止着するのが好ましい（請求項１０）。
この場合、遮熱材２は上面シート２１の屋根垂木１の側面又は上面への粘着テープ、釘等での止着により屋根パネルＡから脱落しない形態となるため、もはや遮熱材２の断熱材３への接着等の固定は不要となる。
従って、屋根垂木１に断熱材３を一体化配設したパネル本体と遮熱材２とは別々に製作保管し、施工現場での簡単な作業により屋根パネル組立てが可能となり、屋根パネルＡの製作及び保守管理が合理化出来る。
【００３０】
また、垂木一体化屋根パネルＡにあっては、屋根垂木１の上面１Ｔに屋根下張材７を張設一体化しておくのが好ましい（請求項１１）。
この場合、屋根下張材７を張設一体化しておけば、屋根パネルＡを小屋組み上に取付け施工した後の屋根下張材７の屋根パネルＡ上への取付施工は不要となるが、屋根パネルＡの小屋組みへの取付施工上、図６に示す如く、垂木の軒先側及び棟木側の両突出部１Ｅ，１Ｂには屋根下張材７の張設はせず、屋根パネルＡ上の軒先側突出部１Ｅ及び棟木側突出部１Ｂの存在により屋根パネルＡの小屋組み横梁への取付作業を容易とし、屋根パネルＡを小屋組みへ堅結張設した後、別に用意した下張材７の補完取付けを行うのが好ましい。
また、屋根下張材７の屋根パネルＡへの一体化取付けは、遮熱材２の均斉保護の効果があり、断熱材下面への下面材７１の一体化取付けと相俟って、屋根施工の合理化を可能とすると共に、工場生産品としての屋根パネルＡの保管、搬送にも有利である。
【００３１】
【発明の実施の形態】
〔遮熱材２（図５）〕
遮熱材２のシート材として、予め表面にアルミ箔を層着した紙シートを用意し、適用屋根パネルＡの寸法に応じて下面シート２３の幅Ｗ１を各垂木１間寸法Ｗ１に、上面シート２１の幅Ｗ１´は、下面シートの幅Ｗ１＋両側の突出縁２１Ｅ（１０mm）に、中間シート２２幅は、各起立片２４，２５間寸法＋両側の折曲面２２´（２０mm）に、また各起立片２４，２５としては、アルミ箔の無い紙シートを用いて、幅は遮熱材２の所定高さＨ１（標準３０mm）＋上下の折曲面２４´，２５´（２０mm）に，各紙シートを裁断し、図５（Ａ）に示す如く、中間シート２２の折曲面２２´及び起立片の折曲面２４´，２５´の他シートへの当接面に糊剤を塗布し、各シートを所定寸法関係に接着する。
【００３２】
従って、アルミ箔の紙シートへの層着を含め、遮熱材２の製作は、上面シート２１、中間シート２２、下面シート２３、及び起立片２４，２５の各構成部材を全てシート状態でローラー群装置に供給しながら、折り目付与→折り込み→糊付け→圧着→定寸切断の流れ工程で合理的に製造出来る。
また、遮熱材２の幅Ｗ１及び高さ（上面シート２１と下面シート２３の間隔）は、屋根パネルＡの形状に対応して寸法変更する必要があるが、遮熱材の幅、上下シート間距離の変更も、ローラー郡装置での寸法調整によって容易に対処可能である。
【００３３】
〔屋根パネルＡの製作（図２，図３，図４）〕
屋根垂木１として、断面寸法３８mm×１４０mmの木材（２×４工法用２０６材）を用い、軒桁用ころび止め材５、棟木用ころび止め材５、及び中間の横枠材４として断面寸法３８mm×１００mm（２０６材の切断加工品）を用い、垂木１の長さＬは適用屋根寸法に応じて決定し、各垂木１の棟木側端部には屋根勾配θに対応する切欠１Ｃを施し、各垂木１間を遮熱材２嵌入用の幅Ｗ１（図１）を保って３本並列し、各垂木間には、図１、図６に示す如く、軒先側の突出部１Ｅを保って軒桁用ころび止め材５を、下面５ｕが軒桁６１上面に面当接するように垂木１に対して傾斜配置し、棟木側の突出部１Ｂを保って中間の横枠材４を、図４の如く、垂木１に垂直配置し、棟木側先端には棟木用ころび止め材５を、下面５ｕが棟木６上面に面当接するように垂木１に対して傾斜配置し、且つ垂木１と横枠材４とは底面を揃えて釘打ち固定し、各ころび止め材５は、所定の屋根勾配角θを付与して下面５Ｕが垂木底面１Ｕから傾斜突出する形態に垂木１に釘打ち固定して剛構造の木製枠体Ｆとする。
次いで、該枠体Ｆの下面の軒桁用ころび止め材５から中間の横枠材４までの区域には、居住空間域Ｒｓ（図７）＋αの範囲に内装用下地材（石膏ボード）７１を、該下地材７１端から中間横枠体４までの範囲には支承材７２としての金網を、それぞれ垂木下面に固定する。
【００３４】
次いで、下面材７１及び支承材７２を下面に備えた枠体Ｆの軒桁用ころび止め材５と中間横枠材４で仕切られた空間Ｖには、マット状のグラスウール断熱材３を嵌入充填して枠体内に保持し、断熱材上面には、起立片２４，２５群で起立状態とした遮熱材２を載置して上面シート２１両側縁２１Ｅ（図５）を折り曲げて垂木内側面に釘打ち固定して屋根パネルＡを得る。該屋根パネルＡは、断熱材２の下面が内装用下地材７１と金網の支承材７２とで支持され、且つ断熱材３の上面を被覆した遮熱材２の上面シート２１は、図２（Ｂ）の如く、垂木上面１Ｔと空隙層Ｓｏを保っている。
尚、屋根パネルＡの下面材（内装下地材）７１は、断熱材下面全区域に取付けても良く、この場合は、断熱材の支承構造付与作業が容易となる。
また、発泡合成樹脂板の断熱材を採用する場合には、断熱材が保形性を有するため、支承材７２として金網に替えて木片を簾の子状に垂木間に配設しても良く、コスト上有利である。
【００３５】
〔屋根の断熱施工（図７，８）〕
一方の屋根面の１枚目の屋根パネルＡは、棟側の基端部と小屋組みの中心部の位置を合わせ、棟木用ころび止め材５を棟木６に釘打ち固定すると共に、屋根垂木１の基端部両側から棟木６に斜め方向に釘打ちして各屋根垂木１を棟木６に固定する。
また、屋根パネルＡの先端側（軒先側）でも、軒桁用ころび止め材５を軒桁に釘打ち固定すると共に、屋根垂木１の両側から軒桁６１に対して釘を斜め方向に打ち込んで各屋根垂木１を軒桁６１に固定する。
また、図示してないが、屋根パネルＡの中間部分に小屋組みの母屋がある場合には、屋根パネル両側端部の屋根垂木１を母屋に対して釘の斜め打ち込みで固定し、更に屋根垂木下面から母屋にわたる金物（屈曲板金）を介して、屋根垂木下面と金物、及び母屋側面と金物を釘打ち固定する。
【００３６】
次いで、反対側の屋根面の屋根パネルを同様の手順で施工し、棟木６の頂点で屋根垂木１の切欠１Ｃによって面当接した屋根垂木同士を補強金物（図示せず）を用いて強固に堅結する。
１枚目の屋根パネルＡの両側屋根面への取付けが終了後、２枚目以降の屋根パネルＡについても同様に、棟木６、軒桁６１、母屋の順に釘打ち固定し、各屋根パネルＡの側面当接部にあっては、当接した両垂木１の適所を釘打ちして各屋根パネル相互も堅結する。
そして、屋根パネルＡの施工終了後、遮熱材２が全面に亘って起立状態であること、及び表面にごみ等の無いことを確認して、屋根垂木１上に屋根下張材（屋根野地板）７を張設して屋根構造部分を完成し、屋根下張材７上に屋根材８を張設する。
【００３７】
該屋根の断熱施工にあっては、屋根垂木１、ころび止め材５、断熱材３、遮熱材２一体化パネルを用いるため、屋根垂木の複数本がころび止め材施工と同時に取付施工出来、断熱材の建築現場での施工も不要となり、従来例１の如き在来工法と比べて、工期が画期的に短縮出来る。しかも、屋根垂木を張設する際は、棟と軒桁の間隔や、軒桁と母屋の間隔が大きいため、在来工法では高所作業用の足場の確保が必要であり、危険、且つ手間のかかる作業であったが、本発明の屋根パネル施工にあっては、棟部分に作業足場を確保するだけで、屋根垂木の取付作業及びころび止め材の取付作業が安全、且つ容易に実施出来る。
しかも、屋根パネルＡ下面の居住空間域Ｒｓには内装下地材７１が存在するため、後工程としての内装工事に際しても、内装下地材の取付作業が省略出来、住宅建築に於ける現場作業工数が省略合理化出来る。
また、屋根パネルＡも工場生産により、高品質、且つ信頼性の高いパネルが得られ、簡単、且つ容易な屋根パネルの取付施工によって高品質の断熱構造屋根が得られる。
【００３８】
本実施の態様で得られる住宅の屋根断熱構造にあっては、屋根パネルＡが遮熱材２の各シート上面のアルミ箔によって輻射熱を阻止し、遮熱材２の各シート間の空気層空間Ｓが外気導通によって対流熱伝達を抑制し、且つ断熱材３が熱伝導を抑制するため、即ち、屋根パネルＡが熱伝導の３要素である伝導、対流、輻射の各熱伝達要素全てに対応したものであるため、例えば、従来例２の断熱材上に断熱シートを載置して断熱シートで通気を行う、伝導熱と対流熱とに対処するものに比べても、構造がより単純で、製作面でもより容易、且つ合理的に出来るものである上に、熱伝達抑制機能が格段に優れたものとなる。
即ち、断熱機能面から見ても、本願の遮熱材２＋断熱材３の断熱構造は、単なる同質断熱材のみからなる断熱構造よりも優れた熱伝達抑制効果を発揮する。しかも、従来の断熱材利用の断熱構造での必然結果であった断熱材の蓄熱も軽減出来るため、外気温低下に比較的早く順応出来るものとなり、省エネルギー住宅の提供に有利となる。
【００３９】
〔その他〕
実施態様例では、起立状態様の遮熱材２の上面シート２１の上面と屋根下張材７との間に空気層空隙を形成するものであるが、遮熱材２の上面シート２１と、垂木１上面１Ｔとを同一高さとしても、即ち、遮熱材上面シート２１と屋根下張材７が接触する形態としても良い。
この場合は、断熱材３の高さ（材厚）は、垂木１及び遮熱材２の必要高さの条件の下に最大厚の断熱材層が形成出来、遮熱材２の起立保持も、上面シートの側縁２１Ｅを垂木１の上面に貼り付けるだけで良く、上面シート２１の止着が容易となる。
そして、上面シート２１表面と屋根下張材７下面とは接触するだけであるから、接触面には若干の空気も存在するため上面シート２１の熱反射機能が１００％失われることは無い。
しかも、中間シート（次層シート）２２及び下面シート２３は完全な熱線反射機能を奏するため、遮熱材２全体としての輻射熱伝達抑制機能は充分発揮出来る。
【００４０】
図６は、他の屋根パネル例であり、上面シート２１と下面シート２３から成る遮熱材２の上面を覆う形態に合板の屋根下張材７を屋根垂木１に釘打ち固定したものである。図６の屋根パネルにあっては、屋根下張材７が各垂木間に渡って固定されるため、屋根パネル取付後の屋根下張材の張設作業が省略出来るばかりでなく、枠体Ｆの補強効果を奏すると共に、屋根下張材７は枠体Ｆ内の断熱材３及び遮熱材２の保持、保護機能も奏し、完成品としての屋根パネルＡの保管、搬送が容易となる。
従って、屋根下張材を一体化した図６の屋根パネルに下面材７１を付設すれば、断熱材選択及び遮熱材付設構造選択の自由度が増し、実用性の高い屋根パネルとなる。
【００４１】
勿論、図６の如き屋根下張材７の取付一体化は、実施態様例（図１）の屋根パネルはもとより、遮熱材２の上面が垂木上面と同じ高さのものにも適用可能であるが、この場合は、上面シートでの輻射熱反射作用がある程度低下するため、次層シートにも熱線反射層を付与する。
また、該図６のパネルで、屋根下張材７を遮熱材２の上面のみとすれば、屋根パネルの壁（軒桁）への取付け、及び棟木部での取付施工が容易であり、屋根パネルの取付後に下張材７の存在しない部分にのみ別途下張材を施工すれば良い。
【００４２】
【発明の効果】
本発明の屋根断熱構造にあっては、垂木１ところび止め材５と遮熱材２と断熱材３の一体化された屋根パネルＡを用いて屋根を形成するため、従来の、高所作業としての危険、且つ困難な屋根垂木及びころび止め材の取付け、通気層の形成、断熱層の取付け等の作業が画期的に合理化出来、しかも、工場生産された均質パネルであるため、単純、且つ合理化された屋根施工によって、高品質の屋根が形成出来る。
【００４３】
また、屋根パネルＡは、遮熱材２のシート表面での輻射熱反射作用と、遮熱材各シート間の空気層空間Ｓでの外気導通による熱の対流伝達抑制作用と、断熱材３による熱伝導を抑制する作用、即ち、熱伝達の３要素である伝導、対流、輻射の各熱伝達要素全てに対応しているので、屋根面からの熱の建物内への伝達が好適に抑制出来、しかも、遮熱材２によって断熱材３の蓄熱が軽減出来て、断熱材２の蓄熱量が抑制出来るため、外気温度低下にも比較的短時間で順応出来、例えば冷房エネルギーの軽減等の省エネルギー住宅の提供に有利である。
【００４４】
また、本発明の屋根パネルＡは、遮熱材２が複数シート２１，２２，２３相互を折曲自在の起立片２４，２５群で固定したものであるため、製作に際しては、遮熱材との各構成材としての各シート及び各起立片を共に水平配置してそれぞれ必要位置の折り目付与、接着部への糊付け、加圧接着、及び定寸切断の各工程をローラー群装置による流れ作業で実施出来て、遮熱材２の製作が合理的に実施出来、製造としての遮熱材２も各シートの積層形態で取扱えるので、保管、搬送が容易である。
また、屋根パネル製造時の遮熱材２の断熱材３上面への被覆保護も、枠体Ｆ内に配設保護した断熱材３上に起立状態の遮熱材２を載置して遮熱材上面シートの両側縁を垂木に止着すれば良く、或いは、積層状態の遮熱材２の下面シート２３のみを断熱材３上面に接着した後、遮熱材２を起立状態として断熱材３を枠体Ｆの空間Ｖ内に嵌入保護しても良く、断熱材の枠体Ｆの空間Ｖ内への配置も、断熱材３の両側面を垂木に接着しても、枠体Ｆ下面の面材等の支承材で保持しても、或いは充填発泡断熱材によって枠体Ｆと一体化しても良いため、断熱材の選択の自由度がある。
従って、本発明の屋根パネルＡは、その構造によって、製造上も、取付施工上も、屋根断熱機能上も優れた実用性の極めて高いものである。
【図面の簡単な説明】
【図１】  本発明屋根パネルの一部切欠斜視図。
【図２】  本発明屋根パネルの説明図であって、（Ａ）は図１のＡ−Ａ断面図、（Ｂ）は図１のＢ−Ｂ断面図。
【図３】  図１の屋根パネルの分解斜視図。
【図４】  本発明屋根パネルの枠体の説明図であって、（Ａ）は全体斜視図、（Ｂ）は図４（Ａ）のＢ−Ｂ断面図、（Ｃ）は図４（Ｂ）のＣ部拡大図、（Ｄ）は図４（Ｂ）のＤ部拡大図。
【図５】  本発明遮熱材の説明図であって、（Ａ）は起立途中を、（Ｂ）は起立状態を示す図。
【図６】  本発明の、屋根下張材一体化屋根パネルの斜視図。
【図７】  本発明屋根パネルを張設した屋根構造の略示断面図。
【図８】  本発明屋根パネルを張設した屋根構造の略示斜視図。
【図９】  従来例１の説明図であって、（Ａ）は通気下地材を取付けた状態を、（Ｂ）は通気層形成状態を、（Ｃ）は断熱材を取付けて完成した状態を示す図。
【図１０】  従来例２の一部切欠斜視図
【符号の説明】
１：垂木（屋根垂木）、    １Ｃ：切欠、      １Ｔ：垂木上面、
１Ｕ：垂木下面、          ２：遮熱材、      ３：断熱材、
４：横枠体（中間横枠材）、    ５：ころび止め材（横枠材）、    ６：棟木、      ７：屋根下張材（屋根野地板）、    ８：屋根材（屋根仕上材）、
２１：上面シート、    ２２：中間シート、      ２３：下面シート、        ２４，２５：起立片、    ２２´，２４´，２５´：折曲面、
６１：軒桁、            ７１：内装下地材（下面材）    ７２：支承材、
Ａ：屋根パネル、        ｒ：折曲部、        Ｓ：空気層空間、
Ｓｏ：空隙層、          Ｖ：空間
【図１】
0003690793.tif 000002
【図２】
0003690793.tif 000003
【図３】
0003690793.tif 000004
【図４】
0003690793.tif 000005
【図５】
0003690793.tif 000006
【図６】
0003690793.tif 000007
【図７】
0003690793.tif 000008
【図８】
0003690793.tif 000009
【図９】
0003690793.tif 000010
【図１０】
0003690793.tif 000011